(57)【特許請求の範囲】
【請求項１】
局側装置（ＯＬＴ；Ｏｐｔｉｃａｌ  Ｌｉｎｅ  Ｔｅｒｍｉｎａｌ）に実装される光加入者線終端盤（ＯＳＵ；Ｏｐｔｉｃａｌ  Ｓｕｂｓｃｒｉｂｅｒ  Ｕｎｉｔ）と、少なくとも１の加入者側伝送装置（ＯＮＵ；Ｏｐｔｉｃａｌ  Ｎｅｔｗｏｒｋ  Ｕｎｉｔ）とを、接続する光アクセスシステムであって、
前記ＯＳＵのうち通常時に用いるＮ（Ｎ≧１）の正常系ＯＳＵと、
前記ＯＳＵのうち前記Ｎの正常系ＯＳＵのいずれか一つの代用として用いる１の冗長系ＯＳＵと、
Ｃ（１≦Ｃ）分岐側と２分岐側を持ち、Ｃ分岐側に前記ＯＮＵが接続され、２分岐側の一方に前記Ｎの正常系ＯＳＵが接続されるＮの光スプリッタと、
前記冗長系ＯＳＵが接続される１のＯＳＵ側ポート及び前記光スプリッタの２分岐側の他方が接続されるＮのＯＮＵ側ポートを有する光スイッチと、
前記ＯＳＵに対する光信号用の発光の開始／停止の制御、及び前記光スイッチに対する前記１のＯＳＵ側ポートと前記ＮのＯＮＵ側ポートの任意の１つとを結合させる制御を行うＯＬＴ制御部と、
を備え、
前記ＯＬＴ制御部は、前記冗長系ＯＳＵの運用中に、前記光スイッチでの前記１のＯＳＵ側ポートと結合する前記ＮのＯＮＵ側ポートの１つである接続先が不明になったとき、  前記冗長系ＯＳＵの発光を停止させることを特徴とする光アクセスシステム。
【請求項２】
前記ＯＬＴ制御部は、前記光スイッチへ所定の信号を定期的に送信し、前記光スイッチからの応答で前記接続先を認識する制御リンク検知を行う光スイッチ制御リンク監視部を有しており、
前記光スイッチ制御リンク監視部が、前記制御リンク検知を行った際に前記光スイッチからの応答がない制御リンク断を検出したときを前記接続先が不明とすることを特徴とする請求項１の光アクセスシステム。
【請求項３】
前記ＯＳＵ配下の前記ＯＮＵとのリンク状態を監視するＯＮＵリンク監視部をさらに備え、
前記ＯＬＴ制御部は、前記光スイッチへ所定の信号を定期的に送信し、前記光スイッチからの応答で前記接続先を認識する制御リンク検知を行う光スイッチ制御リンク監視部を有しており、
前記光スイッチ制御リンク監視部が、前記制御リンク検知を行った際に前記光スイッチからの応答がない制御リンク断を検出したとき、及び、前記ＯＮＵリンク監視部が、前記冗長系ＯＳＵ配下の全ての前記ＯＮＵのリンク断を検出したとき、を前記接続先が不明とすることを特徴とする請求項１の光アクセスシステム。
【請求項４】
前記ＯＬＴ制御部は、前記光スイッチへ所定の信号を定期的に送信し、前記光スイッチからの応答で前記接続先を認識する制御リンク検知を行う光スイッチ制御リンク監視部を有しており、
前記ＯＬＴ制御部は、前記冗長系ＯＳＵの発光が停止しているときに前記光スイッチ制御リンク監視部に前記制御リンク検知を行わせ、前記光スイッチからの応答がある制御リンク確立を検知したとき前記冗長系ＯＳＵに発光を開始させることを特徴とする請求項１に記載の光アクセスシステム。
【請求項５】
請求項１から４のいずれかに記載の光アクセスシステムが備える前記ＯＬＴ制御部を有するＯＬＴ。
【請求項６】
請求項３に記載の光アクセスシステムが備える前記ＯＮＵリンク監視部を有するＯＳＵ。
【請求項７】
請求項１から４のいずれかに記載の光アクセスシステムにおけるＯＳＵ冗長化方法であって、
前記ＯＬＴ制御部が、前記冗長系ＯＳＵの運用中に、前記光スイッチでの前記１のＯＳＵ側ポートと結合する前記ＮのＯＮＵ側ポートの１つである接続先が不明になったとき、  前記冗長系ＯＳＵの発光を停止させることを特徴とするＯＳＵ冗長化方法。
【発明の詳細な説明】
【技術分野】
【０００１】
本発明は、複数の光加入者線終端盤（ＯＳＵ；Ｏｐｔｉｃａｌ  Ｓｕｂｓｃｒｉｂｅｒ  Ｕｎｉｔ）のうちの１台を冗長用とするＮ：１冗長型光アクセスシステム、これが備える局側装置（ＯＬＴ；Ｏｐｔｉｃａｌ  Ｌｉｎｅ  Ｔｅｒｍｉｎａｌ）及びＯＳＵ、並びにこれが行うＯＳＵ冗長化方法に関する。
【背景技術】
【０００２】
［プロテクションの説明］
近年、各ユーザまで光ファイバを敷設し、高速通信を提供する光アクセスネットワークの普及が進んでいる。光アクセスネットワークは、後述するＰＯＮ（Ｐａｓｓｉｖｅ  Ｏｐｔｉｃａｌ  Ｎｅｔｗｏｒｋ）や、メディアコンバータを介して各ユーザと通信局舎を接続するものである。
【０００３】
ＰＯＮは１台のＯＬＴに内包されるＯＳＵ及び１台以上のユーザ側伝送装置である光加入者線終端装置（ＯＮＵ：Ｏｐｔｉｃａｌ  Ｎｅｔｗｏｒｋ  Ｕｎｉｔ）が光ファイバとスプリッタを介して接続されるポイント・ツー・マルチポイント形態の光アクセスネットワークである。また、メディアコンバータは１台のＯＳＵに１台のＯＮＵが接続される、ポイント・ツー・ポイント形態の光アクセスネットワークである。
【０００４】
この光アクセスネットワークにおいて、システムの構成要因であるＯＳＵ、ＯＮＵ、光ファイバ、あるいは、スプリッタの冗長化を行う関連技術では、上述の構成要因を冗長化することで、ＯＳＵ故障、ＯＮＵ故障、光ファイバ破損、又はスプリッタ破損が発生した際に、システムダウンを回避する光アクセスプロテクション技術がある（例えば、非特許文献１、第１１３−第１１６頁参照。）。すなわち、光アクセスプロテクション適用時において、これらシステム構成要因の故障・破損時には、正常系から冗長系への動作切り替えにより、サービス継続を行うのである。本出願に係る発明は、これらの光アクセスプロテクションのうち、ＯＳＵの冗長化を行う方式に注目する。
【０００５】
（１：１方式の説明）
通常、１台のＯＬＴには、ＯＳＵが１〜複数台と、交換スイッチ（１〜複数台のＯＳＵの上位側に接続される）と、上位ネットワークインタフェース（交換スイッチの上位側に接続される。）と、ＯＬＴ制御部がまとめて収容されている。
【０００６】
すなわち、ＯＬＴは、光アクセスネットワークと上位ネットワークの交換を行う通信ノードであり、光アクセス側のインタフェースとなるＯＳＵは多数となることもあり得るものである。従って、ＯＳＵの冗長化は、このようなＯＬＴの基本構成を前提に、最適構成を考慮しなければならない。
【０００７】
以下、ＰＯＮでの例をもとに説明を行う。関連技術のＯＳＵ冗長化技術の第１の構成は、図１に示すように、ＯＬＴ１０の内部において、正常系ＯＳＵ１１−１〜正常系ＯＳＵ１１−３のそれぞれに対して冗長系ＯＳＵ１２−１〜冗長系ＯＳＵ１２−３を１台ずつ用意するものである（例えば、非特許文献１、第１１４頁、Ｔｙｐｅ−Ｂ参照。）。便宜上、この第１の構成を「１：１冗長型」と称することにする。「１：１冗長型」の具体的構成及び動作は以下のとおりである。
【０００８】
ＯＬＴ１０は、交換スイッチ１３とインターフェース１４を備える。交換スイッチ１３は、レイヤ２スイッチ（Ｌ２ＳＷ）であり、上位から下りデータを受信すると、そのデータに付けられた識別子（例えばＶｉｒｔｕａｌ  ＬＡＮ  Ｉｄｅｎｔｉｆｉｅｒ（ＶＩＤ））を読む。交換スイッチ１３には予め、ＶＩＤ番号とＯＮＵ番号の紐付けおよび各ＯＮＵ１５の接続先ＯＳＵ番号の対応情報が登録されているので、その対応情報と受信したＶＩＤ番号から、該当のＶＩＤ番号に紐づけられたＯＮＵの接続先ＯＳＵ番号が分かり、接続先ＯＳＵが接続されているポートに対して下りデータを送信する。インターフェース１４は、上位ネットワーク１００と交換スイッチ１３とを接続する。
【０００９】
正常系ＯＳＵ１１−１と冗長系ＯＳＵ１２−１は、Ｍ：２スプリッタ４１−１（Ｎは１以上の整数）を介して、ＯＮＵ５１−１〜ＯＮＵ５１−Ｍと接続されている。さらに、Ｍ：２スプリッタ４１−１〜Ｍ：２スプリッタ４１−３以遠に再度スプリッタを設置して更なる分岐を行ってもよい。接続先のＯＮＵの数は、０以上の整数である。Ｍ：２スプリッタ４１−１〜Ｍ：２スプリッタ４１−３のＯＮＵ側のポートには、空きポートがあっても構わない。
【００１０】
例えば、正常系ＯＳＵ１１−１は、下部のＯＮＵ５１−１〜ＯＮＵ５１−Ｍからのユーザデータを交換スイッチ１３へ、交換スイッチ１３からのユーザデータを下部のＯＮＵ５１−１〜ＯＮＵ５１−Ｍへ、それぞれ転送している。ここで、正常系ＯＳＵ１１−１が通信中に故障した場合、これを検知したＯＬＴ制御部１５は、以下の順で冗長系ＯＳＵ１２−１へ切り替えを行う。
【００１１】
（ｉ）正常系ＯＳＵ１１−１の立ち下げ（発光状態から発光停止）
（ｉｉ）冗長系ＯＳＵ１２−１の立ち上げ（発光停止状態から発光開始）
（ｉｉｉ）交換スイッチ１３の設定変更が行われる。
【００１２】
そして、冗長系ＯＳＵ１２−１は、故障発生前と同様に、下部のＯＮＵ５１−１〜ＯＮＵ５１−Ｍからのユーザデータを交換スイッチ１３へ、交換スイッチ１３からのユーザデータを下部のＯＮＵ５１−１〜ＯＮＵ５１−Ｍへ、それぞれ転送を開始することにより、サービス継続する。
【００１３】
正常系ＯＳＵ１１−２及び正常系ＯＳＵ１１−３と冗長系ＯＳＵ１２−２及び冗長系ＯＳＵ１２−３（冗長系ＯＳＵ台数は１以上の自然数であってもよい）の接続形態とプロテクション時の動作も、正常系ＯＳＵ１１−１と正常系ＯＳＵ１２−１の関係に同じである。この「１：１冗長型」の構成では、正常系ＯＳＵと同数の冗長系ＯＳＵをあらかじめＯＬＴ１０に収容しておく必要があることから、ＯＬＴスロット消費の問題や、ＯＳＵ導入コスト増大の問題を有していた。
【００１４】
（Ｎ：１方式の説明）
これに対し、関連技術のＯＳＵ冗長化技術の第２の構成は、図２に示すように、ＯＬＴ１０の内部において、複数台の正常系ＯＳＵ１１−１〜正常系ＯＳＵ１１−ｉ及び正常系ＯＳＵ１１−Ｎ（ｉ＝１、２、３、・・・、Ｎ：Ｎは１以上の整数）に対して冗長系ＯＳＵ１２を１台用意する。このことにより、ＯＬＴスロット消費の問題や、コスト増大の問題を抑圧するものである（特許文献１の図８参照。）。便宜上、この第２の構成を「Ｎ：１冗長型」と称することにする。「Ｎ：１冗長型」の具体的構成と動作は以下のとおりである。
【００１５】
図２において、ＯＬＴ１０には、正常系ＯＳＵ１１−ｉ（ｉ＝１、２、３、・・・、Ｎ：Ｎは１以上の整数）と、冗長系ＯＳＵ１２が１台収容されている。冗長系ＯＳＵ１２はＮ×１タイプ（ＯＮＵ側ポート数Ｎ、ＯＬＴ側ポート数１）の光スイッチ３５が接続されている。光スイッチ３５は、１つのＯＬＴ側ポート（ポートｘ）とＮ本のＯＮＵ側ポート（ポート１、２、３、・・・、ｉ、・・・、Ｎ）を持つ。
【００１６】
Ｍ：２スプリッタ４１は、ＯＮＵ側にＭ本のポートを持ち、それぞれＭ台以下のＯＮＵ５１と接続されている。Ｍ：２スプリッタ４１のＯＮＵ側のＭ本のポートには、空きポートがあっても構わない。さらに、Ｍ：２スプリッタ４１とＯＮＵ群５０との間に再度スプリッタを設置して更なる分岐を行ってもよい。また、Ｍ：２スプリッタ４１は、ＯＬＴ側に２つのポートを持ち、一方がＯＳＵ１１と接続され、他方が光スイッチ３５と接続される。具体的には、Ｍ：２スプリッタ４１−ｉは、一方のＯＬＴ側ポートと正常系ＯＳＵ１１−ｉとを接続し、他方のＯＬＴ側ポートと光スイッチ３５のポートｉとを接続する。
【００１７】
正常系ＯＳＵ１１−１〜正常系ＯＳＵ１１−Ｎは、それぞれ配下のＯＮＵ５１−１〜５４−Ｍからのユーザデータを交換スイッチ１３へ、交換スイッチ１３からのユーザデータを配下のＯＮＵ５１−１−１〜ＯＳＵ５１−１−Ｍへ、それぞれ転送している。例えば、正常系ＯＳＵ１１−１が通信中に故障した場合、これを検知したＯＬＴ制御部１５は、以下の順で冗長系ＯＳＵ１２へ切り替えを行う。
【００１８】
（ｉ）光スイッチ３５においてポートｘとポート１の接続
（ｉｉ）交換スイッチ１３の設定変更
（ｉｉｉ）正常系ＯＳＵ１１−１の立ち下げ（発光状態から発光停止）
（ｉｖ）冗長系ＯＳＵ１２の立ち上げ（発光停止状態から発光開始）
【００１９】
そして、冗長系ＯＳＵ１２は、故障発生前と同様に、配下のＯＮＵ５１−１−１〜５１−１−Ｍからのユーザデータを交換スイッチ１３へ、交換スイッチ１３からのユーザデータを配下のＯＮＵ５１−１−１〜５１−１−Ｍへ、それぞれ転送を開始することにより、サービス継続する。
【００２０】
他の正常系ＯＳＵ１１−ｉ（ｉ＝２、３、・・・）の故障時の動作も、それぞれ正常系ＯＳＵ１１−２〜正常系ＯＳＵ１１−Ｎ、Ｍ：２スプリッタ４１−２〜Ｍ：２スプリッタ４１−Ｎ、光スイッチ３５のポートが入れ替わる以外、上記説明と同じである。
【００２１】
この「Ｎ：１冗長型」の構成では、正常系ＯＳＵ１１−１〜正常系ＯＳＵ１１−ＮのＮ台に対して、同時にＯＬＴ１０に収容する冗長系ＯＳＵ１２が１台で済むことから、ＯＬＴスロット消費の問題や、ＯＳＵ導入コスト増大の問題は解消されている。
【００２２】
また、正常系ＯＳＵ１１−１〜正常系ＯＳＵ１１−Ｎが複数同時に故障する確率は十分低いという条件下では、本構成及び動作での冗長化で信頼性を確保することも容易となる。
【００２３】
なお、ＯＬＴにおいて、交換スイッチ、上位ネットワークインタフェース、および、ＯＬＴ制御部についても冗長化する場合があるが、ここでは直接関連しないことから、記載を省略する。
【００２４】
また、ＰＯＮではなく、メディアコンバータを用いた光アクセスシステムの場合にも、上記プロテクション方式は同等の構成で実現できる。この場合は図２で示したＭ：２光スプリッタ４１−１〜Ｍ：２スプリッタ４１−Ｎが、図３で示す１：２光スプリッタ４２−１〜１：２光スプリッタ４２−Ｎとなる。ここで、各ＯＳＵ１１が最大１台のＯＮＵ５１−１〜ＯＮＵ５１−Ｎに接続される以外は、構成及び動作ともに上記ＰＯＮの場合と同様となる。
【先行技術文献】
【特許文献】
【００２５】
【特許文献１】国際公開ＷＯ２０１３／０５８１７９パンフレット
【非特許文献】
【００２６】
【非特許文献１】ＩＴＵ−Ｔ  Ｇ．９８３．１
【発明の概要】
【発明が解決しようとする課題】
【００２７】
上記のように、ＯＳＵの冗長化のため、正常系ＯＳＵ  Ｎ台に対して、冗長系ＯＳＵ１台を用意するＮ：１冗長型光アクセスシステムは、正常系ＯＳＵの故障発生時に、光スイッチで経路を切替え、故障したＯＳＵ配下のＯＮＵと冗長系ＯＳＵの経路を確立し、冗長系ＯＳＵを動作させることにより、故障した正常系ＯＳＵ配下のＯＮＵ通信を復旧させることが可能となる。
【００２８】
しかし、冗長系ＯＳＵ運用中に何らかの障害により、ＯＬＴ制御部は、光スイッチがいずれの経路に切り替えているのか、すなわち、接続先を確認できなくなることがある。このような場合、ＯＬＴ制御部は光スイッチ接続先を検知できず、光スイッチの接続先に異常が生じても、冗長系ＯＳＵに対して下り光信号の出力を停止させることができない。この結果、正常系ＯＳＵの下り光信号と冗長系ＯＳＵの下り信号とが衝突し、正常系ＯＳＵ−ＯＮＵ間の通信を妨げることがあるという課題があった。
【００２９】
そこで、本発明は、上記課題を解決すべく、光スイッチを備えるＮ：１方式のプロテクションにおいて、冗長系ＯＳＵ運用中の障害で光スイッチの接続先が不明となった場合に、正常系ＯＳＵ−ＯＮＵ間の通信へ影響を及ぼすことを防止できる光アクセスシステム、ＯＬＴ、ＯＳＵ、及びＯＳＵ冗長化方法を提供することを目的とする。
【課題を解決するための手段】
【００３０】
上記目的を達成するために、本発明の光アクセスシステムは、光スイッチの接続先情報が取得できなくなった場合に冗長系ＯＳＵの発光を停止することとした。
【００３１】
具体的には、本発明に係る光アクセスシステムは、局側装置（ＯＬＴ；Ｏｐｔｉｃａｌ  Ｌｉｎｅ  Ｔｅｒｍｉｎａｌ）に実装される光加入者線終端盤（ＯＳＵ；Ｏｐｔｉｃａｌ  Ｓｕｂｓｃｒｉｂｅｒ  Ｕｎｉｔ）と、少なくとも１の加入者側伝送装置（ＯＮＵ；Ｏｐｔｉｃａｌ  Ｎｅｔｗｏｒｋ  Ｕｎｉｔ）とを、接続する光アクセスシステムであって、
前記ＯＳＵのうち通常時に用いるＮ（Ｎ≧１）の正常系ＯＳＵと、
前記ＯＳＵのうち前記Ｎの正常系ＯＳＵのいずれか一つの代用として用いる１の冗長系ＯＳＵと、
Ｃ（１≦Ｃ）分岐側と２分岐側を持ち、Ｃ分岐側に前記ＯＮＵが接続され、２分岐側の一方に前記Ｎの正常系ＯＳＵが接続されるＮの光スプリッタと、
前記冗長系ＯＳＵが接続される１のＯＳＵ側ポート及び前記光スプリッタの２分岐側の他方が接続されるＮのＯＮＵ側ポートを有する光スイッチと、
前記ＯＳＵに対する光信号用の発光の開始／停止の制御、及び前記光スイッチに対する前記１のＯＳＵ側ポートと前記ＮのＯＮＵ側ポートの任意の１つとを結合させる制御を行うＯＬＴ制御部と、
を備え、
前記ＯＬＴ制御部は、前記冗長系ＯＳＵの運用中に、前記光スイッチでの前記１のＯＳＵ側ポートと結合する前記ＮのＯＮＵ側ポートの１つである接続先が不明になったとき、  前記冗長系ＯＳＵの発光を停止させることを特徴とする。
【００３２】
また、本発明に係るＯＬＴは、前記光アクセスシステムが備える前記ＯＬＴ制御部を有する。
【００３３】
さらに、本発明に係るＯＳＵ冗長化方法は、前記光アクセスシステムにおけるＯＳＵ冗長化方法であって、前記ＯＬＴ制御部が、前記冗長系ＯＳＵの運用中に、前記光スイッチでの前記１のＯＳＵ側ポートと結合する前記ＮのＯＮＵ側ポートの１つである接続先が不明になったとき、前記冗長系ＯＳＵの発光を停止させることを特徴とする。
【００３４】
光スイッチの接続先情報が取得できなくなったときに冗長系ＯＳＵの発光を停止することで冗長系ＯＳＵから下り光信号の出力を停止し、光スイッチの接続先に異常が生じた場合でも正常系ＯＳＵの下り光信号と冗長系ＯＳＵの下り信号との衝突を防止できる。従って、本発明は、光スイッチを備えるＮ：１方式のプロテクションにおいて、冗長系ＯＳＵ運用中の障害で光スイッチの接続先が不明となった場合に、正常系ＯＳＵ−ＯＮＵ間の通信へ影響を及ぼすことを防止できる光アクセスシステム、ＯＬＴ、及びＯＳＵ冗長化方法を提供することができる。
【００３５】
例えば、前記ＯＬＴ制御部は、前記光スイッチへ所定の信号を定期的に送信し、前記光スイッチからの応答で前記接続先を認識する制御リンク検知を行う光スイッチ制御リンク監視部を有しており、
前記光スイッチ制御リンク監視部が、前記制御リンク検知を行った際に前記光スイッチからの応答がない制御リンク断を検出したときを前記接続先が不明とする。
【００３６】
ＯＬＴ制御部は定期的に光スイッチから接続先情報を取得する。そして、ＯＬＴ制御部は、当該接続先情報を得られなくなった時点を光スイッチに障害が発生し、接続先が不明となったときとして冗長ＯＳＵの発光を停止させる。光スイッチの障害に遅延なく冗長ＯＳＵの発光を停止させることができ、正常系ＯＳＵ−ＯＮＵ間の通信への影響を最小限とすることができる。
【００３７】
例えば、前記ＯＳＵ配下の前記ＯＮＵとのリンク状態を監視するＯＮＵリンク監視部をさらに備え、
前記ＯＬＴ制御部は、前記光スイッチへ所定の信号を定期的に送信し、前記光スイッチからの応答で前記接続先を認識する制御リンク検知を行う光スイッチ制御リンク監視部を有しており、
前記光スイッチ制御リンク監視部が、前記制御リンク検知を行った際に前記光スイッチからの応答がない制御リンク断を検出したとき、及び、前記ＯＮＵリンク監視部が、前記冗長系ＯＳＵ配下の全ての前記ＯＮＵのリンク断を検出したとき、を前記接続先が不明とする。
【００３８】
このとき、本発明に係るＯＳＵは、前記ＯＮＵリンク監視部を有する。
【００３９】
ＯＬＴ制御部は定期的に光スイッチから接続先情報を取得するだけでなく、冗長ＯＳＵからＯＮＵリンク情報も取得する。そして、ＯＬＴ制御部は、当該接続先情報を得られなくなった時点で当該ＯＮＵリンクも確認する。ＯＬＴ制御部は、ＯＮＵリンクが正常であれば、光スイッチとＯＬＴ制御部との間の制御系のみの異常と判断し、冗長ＯＳＵの発光を停止させない。光スイッチ−ＯＬＴ間の制御リンク断のときも、１台でもＯＮＵリンクが確立していれば、冗長系ＯＳＵの発光を継続できるので、冗長系ＯＳＵの下り光信号が正常系ＯＳＵ−ＯＮＵ間の通信に影響を与えることないことは確保しつつ、冗長系ＯＳＵ−ＯＮＵ間の通信ができなくなる可能性を減らすことができる。
【００４０】
本発明に係る光アクセスシステムの前記ＯＬＴ制御部は、前記光スイッチへ所定の信号を定期的に送信し、前記光スイッチからの応答で前記接続先を認識する制御リンク検知を行う光スイッチ制御リンク監視部を有しており、
前記ＯＬＴ制御部は、前記冗長系ＯＳＵの発光が停止しているときに前記光スイッチ制御リンク監視部に前記制御リンク検知を行わせ、前記光スイッチからの応答がある制御リンク確立を検知したとき前記冗長系ＯＳＵに発光を開始させることを特徴とする。
【００４１】
冗長系ＯＳＵの発光開始後、配下のＯＮＵとのリンクが確立することにより、正常系ＯＳＵと配下のＯＮＵ間に通信に影響を与えることなく、冗長系ＯＳＵ−ＯＮＵ間の通信を再開することができる。
【発明の効果】
【００４２】
本発明は、光スイッチを備えるＮ：１方式のプロテクションにおいて、冗長系ＯＳＵ運用中の障害で光スイッチの接続先が不明となった場合に、正常系ＯＳＵ−ＯＮＵ間の通信へ影響を及ぼすことを防止できる光アクセスシステム、ＯＬＴ、ＯＳＵ、及びＯＳＵ冗長化方法を提供することができる。
【図面の簡単な説明】
【００４３】
【図１】１：１方式プロテクションを説明する図である。
【図２】Ｎ：１方式プロテクションを説明する図である。
【図３】Ｎ：１方式プロテクションを説明する図である。
【図４】本発明に係るＯＬＴの構成を説明する図である。
【図５】本発明に係るＯＬＴの構成を説明する図である。
【図６】本発明に係る光アクセスシステムの状態遷移を説明する表である。
【発明を実施するための形態】
【００４４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００４５】
（実施形態１）
図４は、本実施形態のＯＬＴ１０−１を説明する図である。そして、ＯＬＴ１０−１は図２のようなＮ：１冗長型の光アクセスシステムのＯＬＴとして用いられる。このような光アクセスシステムは、ＯＬＴに実装されるＯＳＵと少なくとも１のＯＮＵとを接続する光アクセスシステムであって、
前記ＯＳＵのうち通常時に用いるＮ（Ｎ≧１）の正常系ＯＳＵ１１と、
前記ＯＳＵのうちＮの正常系ＯＳＵ１１のいずれか一つの代用として用いる１の冗長系ＯＳＵ１２と、
Ｃ（１≦Ｃ）分岐側と２分岐側を持ち、Ｃ分岐側に前記ＯＮＵが接続され、２分岐側の一方にＮの正常系ＯＳＵ１１が接続されるＮの光スプリッタ４１と、
冗長系ＯＳＵ１２が接続される１のＯＳＵ側ポート及び光スプリッタ４１の２分岐側の他方が接続されるＮのＯＮＵ側ポートを有する光スイッチ３５と、
前記ＯＳＵに対する光信号用の発光の開始／停止の制御、及び光スイッチ３５に対する前記１のＯＳＵ側ポートと前記ＮのＯＮＵ側ポートの任意の１つとを結合させる制御を行うＯＬＴ制御部１５と、
を備える。
【００４６】
ＯＬＴ制御部１５は、光スイッチ３５へ所定の信号を定期的に送信し、光スイッチ３５からの応答で前記接続先を認識する「制御リンク検知」を行う光スイッチ制御リンク監視部６１を有する。
【００４７】
ＯＳＵ＃１〜＃Ｎは正常系ＯＳＵ１１であり、ＯＳＵ＃Ｎ＋１は冗長系ＯＳＵ１２であり、各ＯＳＵはＰＯＮインタフェース（ＰＯＮ−ＩＦ）６２及びＯＳＵ処理制御部６３をそれぞれ備える。なお、本実施形態の説明に不要なその他の構成の説明は省略する。
【００４８】
以上のような動作の機能ブロックからなるＯＬＴを、図２に示すＮ：１冗長型プロテクションを採用する光アクセスシステムに適用する。この光アクセスシステムは、冗長系ＯＳＵ１２を運用中にＯＬＴ制御部１５が光スイッチの接続先を確認できなくなった場合においても、冗長系ＯＳＵ１２からの下り信号で正常系ＯＳＵ−ＯＮＵ間の通信に影響を与えることを防止する。
【００４９】
まず、図４のＯＬＴ１０−１の各部について説明する。
【００５０】
ＰＯＮ−ＩＦ６２は、ＯＮＵ５１がＯＳＵ（１１、１２）に向かって送信した光信号の上りフレームを受信し、電気信号に変換してＯＳＵ処理制御部６３へ出力する。また、ＰＯＮ−ＩＦ６２は、ＯＳＵ処理制御部６３からの電気信号の下りフレームを受信し、光信号に変換して光伝送路に向かって出力する。さらに、ＰＯＮ−ＩＦ６２は、ＯＳＵ処理制御部６３からの光信号送信のための発光開始／発光停止指示を受信し、その指示に従って発光状態から発光の停止、及び発光停止状態から発光開始する。
【００５１】
ＯＳＵ処理制御部６３は、ＰＯＮ−ＩＦ６２からの信号の上りフレームを受信し、それがユーザデータの場合、上位の交換スイッチへ出力する。また、後述するＯＬＴ制御部１５からの発光開始／発光停止指示を受け、ＰＯＮ−ＩＦ６２へ転送する。
【００５２】
ＯＬＴ制御部１５は、ＯＳＵ（１１、１２）に対し発光開始／停止指示を送信するとともに、ＯＳＵの故障等によりＯＳＵ切替が必要になったとき、光スイッチ３５に対し接続先変更を指示し、接続先を管理する。また、ＯＬＴ制御部１５の光スイッチ制御リンク監視部６１は、光スイッチ−ＯＬＴ間の制御リンクが確立しているかどうかを以下に示す手法で確認する。
【００５３】
図２において、正常系ＯＳＵ１１に故障等が発生しておらず、正常系ＯＳＵ１１のみで運用されている状態では、冗長系ＯＳＵ１２は発光停止状態となっている。ここで、正常系ＯＳＵ１１−１に故障が発生したとする。ＯＬＴ制御部１５は、発光開始指示で冗長系ＯＳＵ１２を動作させ、接続先変更指示で光スイッチ３５の接続先をＭ：２光スプリッタ４１−１用のポート１に切り替える。そして、ＯＬＴ制御部１５は、発光停止指示で正常系ＯＳＵ１１−１を発光停止状態とする。このような切替作業により冗長系ＯＳＵ１２とＯＮＵ５１−１−１〜ＯＮＵ５１−１−Ｍ間で通信は継続可能となる。
【００５４】
このときＯＬＴ制御部１５は光スイッチ３５に対して所定の信号（例えば、キープアライブメッセージ）を定期的に送信する。そのキープアライブメッセージに対して光スイッチ３５の応答があるかどうかでＯＬＴ制御部１５は光スイッチ３５の故障確認をする。つまり、ＯＬＴ制御部１５はキープアライブメッセージに対する応答の有無で光スイッチ−ＯＬＴ間の制御リンクが確立しているかどうかを確認する（制御リンク検知）。
【００５５】
ここで、光スイッチ３５は、ポートｘといずれのポートｉ（ｉ＝１、２、・・・、Ｎ）とが接続しているかの「接続先」をＯＬＴ制御部１５に通知する。具体的には、光スイッチ３５は、当該応答に接続先を含める、または当該応答とは別に接続先をＯＬＴ制御部１５に送信する。すなわち、ＯＬＴ制御部１５は、光スイッチ−ＯＬＴ間の制御リンクが確立しているかどうかを確認することで光スイッチ３５の接続先を取得することができる。
【００５６】
ＯＬＴ制御部１５は、冗長系ＯＳＵ１２の運用中に、光スイッチ３５での前記１のＯＳＵ側ポートと結合する前記ＮのＯＮＵ側ポートの１つである接続先が不明になったとき、冗長系ＯＳＵ１２の発光を停止させる。具体的には、光スイッチ制御リンク監視部６１が、制御リンク検知を行った際に光スイッチ３５からの応答がない制御リンク断を検出したときを接続先が不明とする。
【００５７】
ここで、ＯＬＴ制御部１５が送信したキープアライブメッセージに対して光スイッチ３５からの応答がなく（制御リンク断）、ＯＬＴ制御部１５が光スイッチの接続先を取得できない状態になったとする。例えば、何らかの原因で光スイッチ３５がポートｘをＭ：２光スプリッタ４１−１用のポート１からＭ：２光スプリッタ４１−２用のポート２に接続変更したとしてもＯＬＴ制御部１５は光スイッチ３５の接続先を取得できない。
【００５８】
このように光スイッチ３５の接続先がＯＬＴ制御部１５の設定と異なる状態になると、正常系ＯＳＵ１１−２からの下り光信号と冗長系ＯＳＵ１２からの下り光信号とが衝突し、正常系ＯＳＵ１１−２とＯＮＵ５１−２−１〜ＯＮＵ５１−２〜Ｍ間の通信ができなくなる。
【００５９】
この問題を解決するため、ＯＬＴ制御部１５が送信したキープアライブメッセージに対して光スイッチ３５からの応答がないとき、ＯＬＴ制御部１５は冗長系ＯＳＵ１２の発光停止を指示し、その指示を受け冗長系ＯＳＵ１２のＰＯＮ−ＩＦ６２＃Ｎ＋１は発光を停止する。本動作により、冗長系ＯＳＵ１２の下り光信号が、正常系ＯＳＵ１２と配下のＯＮＵ５０間の通信に影響を与えることを回避する。また、ＯＬＴ制御部１５が設定した接続先以外の接続先の通知を光スイッチ３５から受信した場合も、光スイッチ３５の接続先が設定状態でないことから、ＯＬＴ制御部１５は冗長系ＯＳＵ１２へ発光停止の指示をしてもよい。
【００６０】
一方、ＯＬＴ制御部１５は、冗長系ＯＳＵ１２の発光が停止しているときに光スイッチ制御リンク監視部６１に制御リンク検知を行わせ、光スイッチ３５からの応答がある制御リンク確立を検知したとき冗長系ＯＳＵ１２に発光を開始させる。
【００６１】
冗長系ＯＳＵが発光停止状態で制御リンク検知を行い、光スイッチ制御リンク監視部６１がＯＬＴ−光スイッチ間の制御リンク復帰を確認した場合、ＯＬＴ制御部１５は冗長系ＯＳＵ１２に対して発光開始を指示する。本動作により、冗長系ＯＳＵ１２の発光開始後、配下のＯＮＵ５１とのリンクが確立し、正常系ＯＳＵとその配下のＯＮＵ間に通信に影響を与えることなく、冗長系ＯＳＵ−ＯＮＵ間の通信を再開することができる。
【００６２】
本実施形態ではＰＯＮの場合を説明したが、Ｎ：２スプリッタ４１を図３のような１：２スプリッタ４２に変更することで、本実施形態はメディアコンバータにも適用可能である。
【００６３】
（実施形態２）
実施形態１では、ＯＬＴ制御部は、ＯＬＴ−光スイッチ間の制御リンク状態から、光スイッチ接続先を確認し、冗長系ＯＳＵの発光開始／停止を指示した。他の光スイッチ接続先を確認する手法として、制御リンク状態とともに冗長系ＯＳＵ配下のＯＮＵリンク状態を用いる手法がある。
【００６４】
図５は、本実施形態のＯＬＴ１０−２を説明する図である。ＯＬＴ１０−２は、図４で説明したＯＬＴ１０−１のＯＳＵ処理制御部６３にＯＳＵ配下のＯＮＵリンク状態を監視するＯＮＵリンク監視部６４を追加した構成となる。
【００６５】
本実施形態では、ＯＳＵ配下のＯＮＵとのリンク状態を監視するＯＮＵリンク監視部６４をさらに備え、
光スイッチ制御リンク監視部６１が、前記制御リンク検知を行った際に光スイッチ３５からの応答がない制御リンク断を検出したとき、及び、ＯＮＵリンク監視部６４が、冗長系ＯＳＵ配下の全てのＯＮＵのリンク断を検出したとき、を前記接続先が不明とする。
【００６６】
図５に記載されているその他の機能ブロックおよびメッセージの動作等は、図４と同様である。ＯＳＵ処理制御部６３は、ＰＯＮ−ＩＦ６２からの信号の上りフレームを受信し、それがユーザデータの場合、上位の交換スイッチへ出力する。一方、ＯＳＵ処理制御部６３は、上りフレームがユーザデータ以外のＰＯＮ制御データの場合、ＯＮＵリンク状態監視部６４が、そのＰＯＮ制御データ中の配下のＯＮＵリンク状態に関する情報を用いてＯＮＵリンク状態の管理を行い、その状態をＯＬＴ制御部１５に通知する。すなわち、ＯＬＴ制御部１５は、光スイッチ−ＯＬＴ間の制御リンクが確立していなくとも（制御リンク断であっても）、ＯＮＵリンク状態監視部６４がＯＮＵリンク状態の管理を行った結果、ＯＮＵリンクが確立していればＯＮＵリンク状態から光スイッチの接続先を推定することができる。
【００６７】
図６は、本実施形態の光アクセスシステムにおいて冗長系ＯＳＵ１２の運用中、光スイッチの接続先の状態に応じた動作をまとめた表である。
（ａ）現在の状態がＯＮＵリンク且つ制御リンクが確立し、冗長系ＯＳＵが発光中の状態であり、次の状態がＯＮＵリンク且つ制御リンクが確立した状態で状態変化がないため、ＯＬＴ制御部は冗長系ＯＳＵの発光を継続させる。
（ｂ）現在の状態が制御リンク断であるがＯＮＵリンクが確立し、ＯＬＴ制御部は光スイッチの接続先を識別できるため冗長系ＯＳＵを発光させている状態であり、次の状態が制御リンクが回復してＯＮＵリンク且つ制御リンクが確立した状態なので、ＯＬＴ制御部は冗長系ＯＳＵの発光を継続させる。
（ｃ）現在の状態が全ＯＮＵリンク断であるが制御リンクが確立し、ＯＬＴ制御部は光スイッチの接続先を識別できるため冗長系ＯＳＵを発光させている状態であり、次の状態がＯＮＵリンクが回復してＯＮＵリンク且つ制御リンクが確立した状態なので、ＯＬＴ制御部は冗長系ＯＳＵの発光を継続させる。
（ｄ）現在の状態が全ＯＮＵリンク断且つ制御リンク断でＯＬＴ制御部は光スイッチの接続先を識別できないため冗長系ＯＳＵの発光を停止させている状態である。この状態から制御リンクとＯＮＵリンクが同時回復することはないので斜線となっている。
（ｅ）現在の状態がＯＮＵリンク且つ制御リンクが確立し、冗長系ＯＳＵが発光中の状態であり、次の状態が制御リンク断であるがＯＮＵリンクが確立した状態であり、ＯＬＴ制御部は光スイッチの接続先を識別できるため冗長系ＯＳＵの発光を継続させる。
（ｆ）現在の状態が制御リンク断であるがＯＮＵリンクが確立し、ＯＬＴ制御部は光スイッチの接続先を識別できるため冗長系ＯＳＵを発光させている状態であり、次の状態が制御リンク断且つＯＮＵリンクが確立した状態で状態変化がないため、ＯＬＴ制御部は冗長系ＯＳＵの発光を継続させる。
（ｇ）現在の状態が全ＯＮＵリンク断であるが制御リンクが確立し、ＯＬＴ制御部は光スイッチの接続先を識別できるため冗長系ＯＳＵを発光させている状態である。この状態から制御リンク断且つＯＮＵリンク回復となる状態へ直接遷移することはないので斜線となっている。
（ｈ）現在の状態が全ＯＮＵリンク断且つ制御リンク断でＯＬＴ制御部は光スイッチの接続先を識別できないため冗長系ＯＳＵの発光を停止させている状態である。この状態から制御リンク断のままＯＮＵリンクが回復することはないので斜線となっている。
（ｉ）現在の状態がＯＮＵリンク且つ制御リンクが確立し、冗長系ＯＳＵが発光中の状態であり、次の状態が全ＯＮＵリンク断であるが制御リンクが確立した状態であり、ＯＬＴ制御部は光スイッチの接続先を識別できるため冗長系ＯＳＵの発光を継続させる。
（ｊ）現在の状態が制御リンク断であるがＯＮＵリンクが確立し、ＯＬＴ制御部は光スイッチの接続先を識別できるため冗長系ＯＳＵを発光させている状態である。この状態から全ＯＮＵリンク断且つ制御リンク回復となる状態へ直接遷移することはないので斜線となっている。
（ｋ）現在の状態が全ＯＮＵリンク断であるが制御リンクが確立し、ＯＬＴ制御部は光スイッチの接続先を識別できるため冗長系ＯＳＵを発光させている状態であり、次の状態が全ＯＮＵリンク断且つ制御リンク確立した状態で状態変化がないため、ＯＬＴ制御部は冗長系ＯＳＵの発光を継続させる。
（ｌ）現在の状態が全ＯＮＵリンク断且つ制御リンク断でＯＬＴ制御部は光スイッチの接続先を識別できないため冗長系ＯＳＵの発光を停止させている状態であり、次の状態が全ＯＮＵリンク断であるが制御リンクが確立した状態であり、ＯＬＴ制御部は光スイッチの接続先を識別できるため冗長系ＯＳＵの発光を開始させる。
（ｍ）現在の状態がＯＮＵリンク且つ制御リンクが確立し、冗長系ＯＳＵが発光中の状態である。この状態から全ＯＮＵリンク断且つ制御リンク断の状態へ直接遷移することはないので斜線となっている。
（ｎ）現在の状態が制御リンク断であるがＯＮＵリンクが確立し、ＯＬＴ制御部は光スイッチの接続先を識別できるため冗長系ＯＳＵを発光させている状態であり、次の状態が全ＯＮＵリンク断且つ制御リンク断の状態でＯＬＴ制御部は光スイッチの接続先を識別できないため冗長系ＯＳＵの発光を停止させる。
（ｏ）現在の状態が全ＯＮＵリンク断であるが制御リンクが確立し、ＯＬＴ制御部は光スイッチの接続先を識別できるため冗長系ＯＳＵを発光させている状態であり、次の状態が全ＯＮＵリンク断且つ制御リンク断の状態でＯＬＴ制御部は光スイッチの接続先を識別できないため冗長系ＯＳＵの発光を停止させる。
（ｐ）現在の状態が全ＯＮＵリンク断且つ制御リンク断でＯＬＴ制御部は光スイッチの接続先を識別できないため冗長系ＯＳＵの発光を停止させている状態であり、次の状態が全ＯＮＵリンク断且つ制御リンク断の状態で状態変化がないため、ＯＬＴ制御部は冗長系ＯＳＵの発光の停止を継続させる。
【００６８】
具体例を説明する。
（例１）冗長系ＯＳＵ１２の運用中において、冗長系ＯＳＵ配下のＯＮＵリンクがあり、ＯＬＴ−光スイッチ間の光スイッチ制御リンク正常の状態から、光スイッチ制御リンク監視部６１が光スイッチ制御リンク断を検出した場合について述べる（図６の（ｂ）となった後の例）。光スイッチ制御リンク断検出後、ＯＮＵリンク監視部６４が全ＯＮＵリンク断を確認したときは、光スイッチの接続先異常が発生したと考えられるため、ＯＬＴ制御部１５は冗長系ＯＳＵ１２に対して発光停止を指示する（図６の（ｎ））。一方、光スイッチ制御リンク断を検出後もＯＮＵリンク監視部６４が冗長系ＯＳＵ配下のＯＮＵリンクを検出した場合、ＯＬＴ制御部は冗長系ＯＳＵに対して発光停止を指示しない（図６の（ｆ））。この状態は、光スイッチの接続先がＯＬＴ制御部の設定通りで異常なく、光スイッチのＯＬＴと接続する制御ポート、もしくは、光スイッチの電源断などにより、ＯＬＴ−光スイッチ間の制御リンクのみ不通となっていると考えられる。したがって、ＯＬＴ制御部１５は、冗長系ＯＳＵ１２へ発光継続を指示し、配下のＯＮＵと通信を継続する。
【００６９】
（例２）冗長系ＯＳＵ１２の運用中において、冗長系ＯＳＵ配下のＯＮＵリンクがあり、ＯＬＴ−光スイッチ間の光スイッチ制御リンク正常の状態から、ＯＮＵリンク監視部６４が全ＯＮＵリンク断を検出した場合について述べる（図６の（ｉ）となった後の例）。全ＯＮＵリンク断を検出後、光スイッチ制御リンク監視部６１が光スイッチ制御リンク断を検出したときは、冗長系ＯＳＵ配下のＯＮＵリンクがなく、ＯＬＴ制御部１５は光スイッチの接続先の確認ができない。このため、冗長系ＯＳＵ１２の発光が正常系ＯＳＵと配下のＯＮＵ間の通信に影響を与えることがないように、ＯＬＴ制御部１５は冗長系ＯＳＵ１２に対して発光停止を指示する（図６の（ｏ））。
【００７０】
（例３）冗長系ＯＳＵ発光停止状態からの発光開始への復帰について述べる。冗長系ＯＳＵ発光停止状態において、光スイッチ制御リンク監視部６１が、ＯＬＴ−光スイッチ間の制御リンク復帰を確認したとき、ＯＬＴ制御部１５は冗長系ＯＳＵに対して発光再開を指示する（図６の（ｌ））。冗長系ＯＳＵ１２の発光開始後、配下のＯＮＵとのリンクが確立すること（図６の（ｃ））で、正常系ＯＳＵと配下のＯＮＵ間に通信に影響を与えることなく、冗長系ＯＳＵ−ＯＮＵ間の通信を再開することができる。
【００７１】
ＯＬＴ１０−２は、実施形態１のＯＬＴ１０−１と比較して、光スイッチ−ＯＬＴ間の制御リンク断のときも、１台でもＯＮＵリンクが確立していれば、冗長系ＯＳＵ１２の発光を継続できる。このため、ＯＬＴ１０−２は、冗長系ＯＳＵの下り光信号が正常系ＯＳＵ−ＯＮＵ間の通信に影響を与えることないことは確保しつつ、冗長系ＯＳＵ−ＯＮＵ間の通信ができなくなる可能性を減らすことができる。
【００７２】
また、本実施形態ではＰＯＮの場合を説明したが、本実施形態は実施形態１と同様にメディアコンバータにも利用可能である。
【００７３】
［付記］
以下は、本実施形態の光アクセスシステムを説明したものである。
［課題］
Ｎ：１ＯＳＵ冗長システム（Ｎ×１光スイッチ型）において、冗長系ＯＳＵ運用中に何らかの障害により、スイッチの接続先に異常が生じたとき、予備系ＯＳＵの下り光信号により、正常系ＯＳＵ−ＯＮＵ間の通信を妨げる恐れがある。
【００７４】
［解決手段］
（１）
局側装置であるＯＬＴに実装される１のＯＳＵと、加入者側伝送装置である少なくとも１のＯＮＵとを、接続する光アクセスシステムに、
正常として用いるＮ（Ｎ≧１）の前記ＯＳＵ（以下、正常系ＯＳＵと呼ぶ）と、
前記Ｎの正常系ＯＳＵのいずれか一つの代用として用いる１の冗長系ＯＳＵと、
Ｃ（１≦Ｃ）分岐側と２分岐側を持ち、Ｃ分岐側に前記ＯＮＵが接続され、２分岐側の一方に前記Ｎの正常系ＯＳＵが接続されるＮの光スプリッタと、
前記冗長系ＯＳＵ盤が接続される１のＯＳＵ側ポートと、前記光スプリッタの２分岐側の他方が接続されるＮのＯＮＵ側ポートを有する光スイッチと、
前記ＯＬＴに、前記ＯＳＵに対する発光開始／停止の制御と、前記光スイッチに対する前記１のＯＳＵ側ポートと前記ＮのＯＮＵ側ポートの任意の１つとを結合させる制御を行うＯＬＴ制御部と、
を備える光アクセスシステムであって、
前記冗長系ＯＳＵが正常系ＯＳＵの代用として運用中に、前記ＯＬＴ制御部が、前期光スイッチの接続先を確認できないとき、前記冗長系ＯＳＵは発光を停止することを特徴とする光アクセスシステム。
【００７５】
（２）
前記ＯＬＴ制御部に、前記ＯＬＴ制御部と前記光スイッチ間の制御リンク状態を監視する光スイッチ制御リンク監視部を備え、
前記光スイッチ制御リンク監視部が、前記ＯＬＴ制御部と前記光スイッチ間の前記制御リンク断を検出したとき、前記冗長系ＯＳＵは発光を停止することを特徴とする上記（１）の光アクセスシステム。
【００７６】
（３）：
前記ＯＬＴ制御部に、前記ＯＬＴ制御部と前記光スイッチ間の制御リンク状態を監視する光スイッチ制御リンク監視部と、
前記ＯＳＵに、配下のＯＮＵのリンク状態を監視するＯＮＵリンク監視部を備え、
前記光スイッチ制御リンク監視部が、前記ＯＬＴ制御部と前記光スイッチ間の前記制御リンク断を検出し、かつＯＮＵリンク監視部が全ＯＮＵのリンク断を検出したとき、前記冗長系ＯＳＵは発光を停止することを特徴とする上記（１）の光アクセスシステム。
【００７７】
（４）：
前記冗長系ＯＳＵが発光停止状態で、前記光スイッチ制御リンク監視部が、前記ＯＬＴ制御部と前記光スイッチ間の制御リンク確立を検出したとき、前記冗長系ＯＳＵは、発光を開始することを特徴とする上記（１）から（３）のいずれかの光アクセスシステム。
【００７８】
（５）：
上記（１）から（４）のいずれかに記載の光アクセスシステムが備えるＯＬＴ、およびＯＳＵ。
【００７９】
［効果］
Ｎ×１タイプの光スイッチを用いるＮ：１冗長型光アクセスシステムにおいて、冗長系ＯＳＵ運用中、ＯＬＴ制御部から光スイッチの接続先を確認できなくなった場合においても、冗長系ＯＳＵの下り信号により、正常系ＯＳＵ−ＯＮＵ間の通信を妨げることを回避できる。
【符号の説明】
【００８０】
１１：正常系ＯＳＵ
１２：冗長系ＯＳＵ
１３：交換スイッチ
１４：インターフェース
１５：ＯＬＴ制御部
３５：光スイッチ
４１：Ｍ：２スプリッタ
４２：１：２スプリッタ
５０：ＯＮＵ群
５１：ＯＮＵ
６１：光スイッチ制御リンク監視部
６２：ＰＯＮ−ＩＦ
６３：ＯＳＵ処理制御部
６４：ＯＮＵリンク監視部
【図１】
0006053172.tif 000002
【図２】
0006053172.tif 000003
【図３】
0006053172.tif 000004
【図４】
0006053172.tif 000005
【図５】
0006053172.tif 000006
【図６】
0006053172.tif 000007